(57)【要約】【課題】本発明は手首を保護するマウスパッドを開示した。【解決手段】主体を含み、前記主体の上端面にはマウスパッドが固定的に設置され、前記マウスパッドの右側には開きチャンバが設置され、前記開きチャンバの中には支持ラックがスライドできるように設置され、前記支持ラックの外周には手首を保護する水袋が嵌められるように設置され、前記支持ラックの中には圧し溝が設置され、前記圧し溝の中には上端が前記水袋の中に伸びている圧しロッドがスライドできるように設置され、本発明は構成が簡単で、操作が便利で、マウスを使用する時に手首の快適度により水袋の高さを調節し、マッサージ機能を有するスライダもそれとともに同期昇降し、装置の機動性が高く、使用範囲が広く、しかも異なる使用者により人間工学にもっと符合させ、手首を保護し、また手首をマッサージしてリラックスさせる。【選択図】図１
2020177621.tif 000002
【特許請求の範囲】
【請求項１】
正面視で、主体を含み、前記主体の上端面にはマウスパッドが固定的に設置され、前記マウスパッドの右側には開きチャンバが設置され、前記開きチャンバの中には支持ラックがスライドできるように設置され、前記支持ラックの外周には手首を保護する水袋が嵌められるように設置され、前記支持ラックの中には圧し溝が設置され、前記圧し溝の中には上端が前記水袋の中に伸びている圧しロッドがスライドできるように設置され、前記圧しロッドの上端には圧し板が固定的に設置され、前記圧しロッドの左右側には前記圧しロッドを復帰させることができる第一復帰部品が固定的に設置され、前記圧しロッドには引っ掛かり溝が設置され、前記開きチャンバの下側には圧しチャンバが連通するように設置され、前記圧しチャンバの右側にはガイド溝が連通するように設置され、前記支持ラックの右端には前記ガイド溝とスライドできるように連結されているガイドブロックが固定的に設置され、前記ガイドブロックの中にはスライドロッドがスライドできるように設置され、前記スライドロッドの上下側には前記スライドロッドを復帰させることができる第二復帰部品が固定的に設置され、前記ガイド溝の右側には動力装置が設置され、前記動力装置は前記スライドロッドと当接し、前記圧しチャンバの左側には前記支持ラックをロックできるロック装置が設置され、前記ロック装置は前記引っ掛かり溝と引っ掛かるように連結され、前記水袋の右側には左右に貫通している連通チャンバが設置され、前記連通チャンバの前後側にはスライドチャンバが連通するように設置され、前記連通チャンバの中にはスライダがスライドできるように設置され、前記連通チャンバと前記開きチャンバとの間には連結チャンバが連通するように設置され、前記スライダと前記支持ラックとの間には固定ロッドが固定的に設置され、前記スライダの上端にはソフトパッドが固定的に設置され、前記スライダの下端と前記スライドチャンバとの間には前後対称の伸縮ばねが固定的に設置され、前記スライダの中には前後対称の回転溝が設置され、前記回転溝の中には回転軸により回転ブロックが回転できるように設置され、前記連通チャンバの外側には回転装置が設置され、前記回転装置は前記回転軸と固定的に連結され、前記回転ブロックには上下対称のボールが回転できるように設置され、前記支持ラックが昇降して前記水袋の高さを調整して使い心地を快適にし、前記回転装置は手首をマッサージすることを特徴とする手首を保護するマウスパッド。
【請求項２】
前記動力装置は前記ガイド溝に連通している推しチャンバを含み、前記推しチャンバの中には推し盤がスライドできるように設置され、前記推し盤と前記推しチャンバとの間には捻りばねが固定的に設置され、前記推しチャンバの右側壁の中にはギヤ溝が連通するように設置され、前記推し盤の右端面には右端が前記ギヤ溝の中に伸びているラックが固定的に設置され、前記ラックの上端には回転輪が噛み合っており、前記ギヤ溝の右側にはスライド溝が設置され、前記スライド溝の中には連結ブロックがスライドできるように設置され、前記連結ブロックの左端には伝動輪が噛み合っており、前記伝動輪と前記回転輪との間がベルトにより動力が伝達できるように連結され、前記連結ブロックと前記スライド溝の下側壁との間には支持ばねが固定的に設置され、前記連結ブロックの中にはモータが固定的に設置され、前記モータの上端にはモータ軸が動力が伝達できるように連結され、前記モータ軸と前記回転装置とがスプラインにより連結され、前記推し盤が右方へ移動し、前記ベルトにより前記モータ軸が前記回転装置と連結されることを特徴とする請求項１に記載の手首を保護するマウスパッド。
【請求項３】
前記ロック装置は前記圧しチャンバに連通するように設置されている移動チャンバを含み、前記移動チャンバの中には移動ブロックがスライドできるように設置され、前記移動ブロックの中には開き溝が設置され、前記開き溝の中には前記支持ラックと噛み合っている固定ギヤが固定的に設置され、前記移動ブロックの左端には移動ロッドが固定的に設置され、前記移動チャンバの左側壁の中には移動溝が連通するように設置され、前記移動ロッドの左端と前記移動溝の左側内壁との間には連結ばねが固定的に設置され、前記移動溝の前側には回し溝が連通するように設置され、前記回し溝の中には後端が前記移動ロッドと固定的に連結されている回しロッドがスライドできるように設置され、前記移動チャンバの前側には凹溝が連通するように設置され、前記凹溝の中には圧しブロックがスライドできるように設置され、前記圧しブロックと前記凹溝との間には圧縮ばねが固定的に設置され、前記圧しチャンバの前側には推し溝が連通するように設置され、前記推し溝の中には推し板がスライドできるように設置され、前記推し溝と前記凹溝との間には連結溝が連通するように設置され、前記推し板と前記圧しブロックとの間は連結ロッドにより回転できるように連結され、前記推し板の後端には引っ掛かりブロックが磁力の吸引により接続され、前記移動ブロックが左方へ移動することにより前記引っ掛かりブロックと前記引っ掛かり溝とが引っ掛かるように連結され、これにより前記圧しロッドと前記支持ラックとが同期昇降することを特徴とする請求項１に記載の手首を保護するマウスパッド。
【請求項４】
前記回転装置は前後対称の空きチャンバを含み、前記回転軸の一端が前記空きチャンバの中に伸びており、且つ前記回転軸の一端にはベベルギヤが固定的に設置され、前記ベベルギヤの一端には連結ギヤが噛み合っており、前記空きチャンバの外側には回転チャンバが連通するように設置され、前記回転チャンバの中には回転ロッドにより前記連結ギヤと噛み合っているギヤスリーブが回転できるように設置され、前記回転チャンバの下側の間には空き溝が連通するように設置され、前記回転ロッドの下端が前記空き溝の中に伸びており、且つ両側の前記回転ロッドの間はタイミングベルトにより動力が伝達できるように連結され、前記空き溝の中には前記モータ軸とスプラインにより連結されているプーリが回転できるように設置され、前記プーリが前記タイミングベルトと動力が伝達できるように連結され、前記プーリが回転して前記回転ブロックを回転させ、ボールにより手首をマッサージすることを特徴とする請求項１に記載の手首を保護するマウスパッド。
【発明の詳細な説明】
【技術分野】
【０００１】
本発明は日常用品技術分野を取り上げて、具体的には手首を保護するマウスパッドである。
【背景技術】
【０００２】
現有のマウスパッドは構成が単一であり、滑り止め作用だけを有し、手首を保護する作用を持つマウスパッドは、その手首を保護する位置の高さが固定されて調節できなく、そのため、違う人が使用する時、快適度が違い、使用範囲が局限されている。
そこで、現有技術の中のマウスパッドを更に改善する必要があり、これにより手首を保護するマウスパッドの機動性を向上させる。
【先行技術文献】
【特許文献】
【０００３】
【特許文献１】中国特許出願公開第１０７７４８６３１号明細書
【発明の概要】
【発明が解決しようとする課題】
【０００４】
本発明は手首を保護するマウスパッドを提供し、従来技術における上記欠点を解消することを目的とする。
【課題を解決するための手段】
【０００５】
本発明の手首を保護するマウスパッドは、主体を含み、前記主体の上端面にはマウスパッドが固定的に設置され、前記マウスパッドの右側には開きチャンバが設置され、前記開きチャンバの中には支持ラックがスライドできるように設置され、前記支持ラックの外周には手首を保護する水袋が嵌められるように設置され、前記支持ラックの中には圧し溝が設置され、前記圧し溝の中には上端が前記水袋の中に伸びている圧しロッドがスライドできるように設置され、前記圧しロッドの上端には圧し板が固定的に設置され、前記圧しロッドの左右側には前記圧しロッドを復帰させることができる第一復帰部品が固定的に設置され、前記圧しロッドには引っ掛かり溝が設置され、前記開きチャンバの下側には圧しチャンバが連通するように設置され、前記圧しチャンバの右側にはガイド溝が連通するように設置され、前記支持ラックの右端には前記ガイド溝とスライドできるように連結されているガイドブロックが固定的に設置され、前記ガイドブロックの中にはスライドロッドがスライドできるように設置され、前記スライドロッドの上下側には前記スライドロッドを復帰させることができる第二復帰部品が固定的に設置され、前記ガイド溝の右側には動力装置が設置され、前記動力装置は前記スライドロッドと当接し、前記圧しチャンバの左側には前記支持ラックをロックできるロック装置が設置され、前記ロック装置は前記引っ掛かり溝と引っ掛かるように連結され、前記水袋の右側には左右に貫通している連通チャンバが設置され、前記連通チャンバの前後側にはスライドチャンバが連通するように設置され、前記連通チャンバの中にはスライダがスライドできるように設置され、前記連通チャンバと前記開きチャンバとの間には連結チャンバが連通するように設置され、前記スライダと前記支持ラックとの間には固定ロッドが固定的に設置され、前記スライダの上端にはソフトパッドが固定的に設置され、前記スライダの下端と前記スライドチャンバとの間には前後対称の伸縮ばねが固定的に設置され、前記スライダの中には前後対称の回転溝が設置され、前記回転溝の中には回転軸により回転ブロックが回転できるように設置され、前記連通チャンバの外側には回転装置が設置され、前記回転装置は前記回転軸と固定的に連結され、前記回転ブロックには上下対称のボールが回転できるように設置され、前記支持ラックが昇降して前記水袋の高さを調整して使い心地を快適にし、前記回転装置は手首をマッサージする。
【０００６】
更の技術プランとしては、前記動力装置は前記ガイド溝に連通している推しチャンバを含み、前記推しチャンバの中には推し盤がスライドできるように設置され、前記推し盤と前記推しチャンバとの間には捻りばねが固定的に設置され、前記推しチャンバの右側壁の中にはギヤ溝が連通するように設置され、前記推し盤の右端面には右端が前記ギヤ溝の中に伸びているラックが固定的に設置され、前記ラックの上端には回転輪が噛み合っており、前記ギヤ溝の右側にはスライド溝が設置され、前記スライド溝の中には連結ブロックがスライドできるように設置され、前記連結ブロックの左端には伝動輪が噛み合っており、前記伝動輪と前記回転輪との間がベルトにより動力が伝達できるように連結され、前記連結ブロックと前記スライド溝の下側壁との間には支持ばねが固定的に設置され、前記連結ブロックの中にはモータが固定的に設置され、前記モータの上端にはモータ軸が動力が伝達できるように連結され、前記モータ軸と前記回転装置とがスプラインにより連結され、前記推し盤が右方へ移動し、前記ベルトにより前記モータ軸が前記回転装置と連結される。
【０００７】
更の技術プランとしては、前記ロック装置は前記圧しチャンバに連通するように設置されている移動チャンバを含み、前記移動チャンバの中には移動ブロックがスライドできるように設置され、前記移動ブロックの中には開き溝が設置され、前記開き溝の中には前記支持ラックと噛み合っている固定ギヤが固定的に設置され、前記移動ブロックの左端には移動ロッドが固定的に設置され、前記移動チャンバの左側壁の中には移動溝が連通するように設置され、前記移動ロッドの左端と前記移動溝の左側内壁との間には連結ばねが固定的に設置され、前記移動溝の前側には回し溝が連通するように設置され、前記回し溝の中には後端が前記移動ロッドと固定的に連結されている回しロッドがスライドできるように設置され、前記移動チャンバの前側には凹溝が連通するように設置され、前記凹溝の中には圧しブロックがスライドできるように設置され、前記圧しブロックと前記凹溝との間には圧縮ばねが固定的に設置され、前記圧しチャンバの前側には推し溝が連通するように設置され、前記推し溝の中には推し板がスライドできるように設置され、前記推し溝と前記凹溝との間には連結溝が連通するように設置され、前記推し板と前記圧しブロックとの間は連結ロッドにより回転できるように連結され、前記推し板の後端には引っ掛かりブロックが磁力の吸引により接続され、前記移動ブロックが左方へ移動することにより前記引っ掛かりブロックと前記引っ掛かり溝とが引っ掛かるように連結され、これにより前記圧しロッドと前記支持ラックとが同期昇降する。
【０００８】
更の技術プランとしては、前記回転装置は前後対称の空きチャンバを含み、前記回転軸の一端が前記空きチャンバの中に伸びており、且つ前記回転軸の一端にはベベルギヤが固定的に設置され、前記ベベルギヤの一端には連結ギヤが噛み合っており、前記空きチャンバの外側には回転チャンバが連通するように設置され、前記回転チャンバの中には回転ロッドにより前記連結ギヤと噛み合っているギヤスリーブが回転できるように設置され、前記回転チャンバの下側の間には空き溝が連通するように設置され、前記回転ロッドの下端が前記空き溝の中に伸びており、且つ両側の前記回転ロッドの間はタイミングベルトにより動力が伝達できるように連結され、前記空き溝の中には前記モータ軸とスプラインにより連結されているプーリが回転できるように設置され、前記プーリが前記タイミングベルトと動力が伝達できるように連結され、前記プーリが回転して前記回転ブロックを回転させ、ボールにより手首をマッサージする。
【発明の効果】
【０００９】
本発明の有益効果は：本発明は構成が簡単で、操作が便利で、マウスを使用する時に手首の快適度により水袋の高さを調節し、マッサージ機能を有するスライダもそれとともに同期昇降し、装置の機動性が高く、使用範囲が広く、しかも異なる使用者により人間工学にもっと符合させ、手首を保護し、また手首をマッサージしてリラックスさせる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の手首を保護するマウスパッドの内部全体構成模式図
【図２】図２は本発明の中の図１の「Ａ」の拡大構成模式図
【図３】図３は本発明の中の図２の「Ｂ−Ｂ」方向の構成模式図
【図４】図４は本発明の中の図１の「Ｃ」の拡大構成模式図
【図５】図５は本発明の中の図４の「Ｄ−Ｄ」方向の構成模式図
【発明を実施するための形態】
【００１２】
図１〜５を参照し、本発明の実施例の手首を保護するマウスパッドは、主体１０を含み、前記主体１０の上端面にはマウスパッド１１が固定的に設置され、前記マウスパッド１１の右側には開きチャンバ１２が設置され、前記開きチャンバ１２の中には支持ラック１３がスライドできるように設置され、前記支持ラック１３の外周には手首を保護する水袋１４が嵌められるように設置され、前記支持ラック１３の中には圧し溝１６が設置され、前記圧し溝１６の中には上端が前記水袋１４の中に伸びている圧しロッド１７がスライドできるように設置され、前記圧しロッド１７の上端には圧し板１８が固定的に設置され、前記圧しロッド１７の左右側には前記圧しロッド１７を復帰させることができる第一復帰部品１９が固定的に設置され、前記圧しロッド１７には引っ掛かり溝２０が設置され、前記開きチャンバ１２の下側には圧しチャンバ１５が連通するように設置され、前記圧しチャンバ１５の右側にはガイド溝３８が連通するように設置され、前記支持ラック１３の右端には前記ガイド溝３８とスライドできるように連結されているガイドブロック３９が固定的に設置され、前記ガイドブロック３９の中にはスライドロッド４０がスライドできるように設置され、前記スライドロッド４０の上下側には前記スライドロッド４０を復帰させることができる第二復帰部品４１が固定的に設置され、前記ガイド溝３８の右側には動力装置１００が設置され、前記動力装置１００は前記スライドロッド４０と当接し、前記圧しチャンバ１５の左側には前記支持ラック１３をロックできるロック装置２００が設置され、前記ロック装置２００は前記引っ掛かり溝２０と引っ掛かるように連結され、前記水袋１４の右側には左右に貫通している連通チャンバ４９が設置され、前記連通チャンバ４９の前後側にはスライドチャンバ５０が連通するように設置され、前記連通チャンバ４９の中にはスライダ５１がスライドできるように設置され、前記連通チャンバ４９と前記開きチャンバ１２との間には連結チャンバ５４が連通するように設置され、前記スライダ５１と前記支持ラック１３との間には固定ロッド５２が固定的に設置され、前記スライダ５１の上端にはソフトパッド５５が固定的に設置され、前記スライダ５１の下端と前記スライドチャンバ５０との間には前後対称の伸縮ばね５３が固定的に設置され、前記スライダ５１の中には前後対称の回転溝５６が設置され、前記回転溝５６の中には回転軸５９により回転ブロック５７が回転できるように設置され、前記連通チャンバ４９の外側には回転装置３００が設置され、前記回転装置３００は前記回転軸５９と固定的に連結され、前記回転ブロック５７には上下対称のボール５８が回転できるように設置され、前記支持ラック１３が昇降して前記水袋１４の高さを調整して使い心地を快適にし、前記回転装置３００は手首をマッサージする。
【００１３】
有益的には、前記動力装置１００は前記ガイド溝３８に連通している推しチャンバ４２を含み、前記推しチャンバ４２の中には推し盤４３がスライドできるように設置され、前記推し盤４３と前記推しチャンバ４２との間には捻りばね４６が固定的に設置され、前記推しチャンバ４２の右側壁の中にはギヤ溝４５が連通するように設置され、前記推し盤４３の右端面には右端が前記ギヤ溝４５の中に伸びているラック４４が固定的に設置され、前記ラック４４の上端には回転輪４７が噛み合っており、前記ギヤ溝４５の右側にはスライド溝６９が設置され、前記スライド溝６９の中には連結ブロック７０がスライドできるように設置され、前記連結ブロック７０の左端には伝動輪７４が噛み合っており、前記伝動輪７４と前記回転輪４７との間がベルト４８により動力が伝達できるように連結され、前記連結ブロック７０と前記スライド溝６９の下側壁との間には支持ばね７１が固定的に設置され、前記連結ブロック７０の中にはモータ７２が固定的に設置され、前記モータ７２の上端にはモータ軸７３が動力が伝達できるように連結され、前記モータ軸７３と前記回転装置３００とがスプラインにより連結され、前記推し盤４３が右方へ移動し、前記ベルト４８により前記モータ軸７３が前記回転装置３００と連結される。
【００１４】
有益的には、前記ロック装置２００は前記圧しチャンバ１５に連通するように設置されている移動チャンバ２９を含み、前記移動チャンバ２９の中には移動ブロック３０がスライドできるように設置され、前記移動ブロック３０の中には開き溝３１が設置され、前記開き溝３１の中には前記支持ラック１３と噛み合っている固定ギヤ３２が固定的に設置され、前記移動ブロック３０の左端には移動ロッド３３が固定的に設置され、前記移動チャンバ２９の左側壁の中には移動溝３４が連通するように設置され、前記移動ロッド３３の左端と前記移動溝３４の左側内壁との間には連結ばね３５が固定的に設置され、前記移動溝３４の前側には回し溝３７が連通するように設置され、前記回し溝３７の中には後端が前記移動ロッド３３と固定的に連結されている回しロッド３６がスライドできるように設置され、前記移動チャンバ２９の前側には凹溝２６が連通するように設置され、前記凹溝２６の中には圧しブロック２７がスライドできるように設置され、前記圧しブロック２７と前記凹溝２６との間には圧縮ばね２８が固定的に設置され、前記圧しチャンバ１５の前側には推し溝２３が連通するように設置され、前記推し溝２３の中には推し板２２がスライドできるように設置され、前記推し溝２３と前記凹溝２６との間には連結溝２４が連通するように設置され、前記推し板２２と前記圧しブロック２７との間は連結ロッド２５により回転できるように連結され、前記推し板２２の後端には引っ掛かりブロック２１が磁力の吸引により接続され、前記移動ブロック３０が左方へ移動することにより前記引っ掛かりブロック２１と前記引っ掛かり溝２０とが引っ掛かるように連結され、これにより前記圧しロッド１７と前記支持ラック１３とが同期昇降する。
【００１５】
有益的には、前記回転装置３００は前後対称の空きチャンバ６０を含み、前記回転軸５９の一端が前記空きチャンバ６０の中に伸びており、且つ前記回転軸５９の一端にはベベルギヤ６１が固定的に設置され、前記ベベルギヤ６１の一端には連結ギヤ６２が噛み合っており、前記空きチャンバ６０の外側には回転チャンバ６３が連通するように設置され、前記回転チャンバ６３の中には回転ロッド６５により前記連結ギヤ６２と噛み合っているギヤスリーブ６４が回転できるように設置され、前記回転チャンバ６３の下側の間には空き溝６６が連通するように設置され、前記回転ロッド６５の下端が前記空き溝６６の中に伸びており、且つ両側の前記回転ロッド６５の間はタイミングベルト６７により動力が伝達できるように連結され、前記空き溝６６の中には前記モータ軸７３とスプラインにより連結されているプーリ６８が回転できるように設置され、前記プーリ６８が前記タイミングベルト６７と動力が伝達できるように連結され、前記プーリ６８が回転して前記回転ブロック５７を回転させ、ボール５８により手首をマッサージする。
【００１６】
初期状態において、固定ギヤ３２が支持ラック１３と噛み合い、モータ軸７３がプーリ６８と連結されていない。
【００１７】
装置が作動する時、回しロッド３６を左方へ移動させることにより移動ブロック３０を左方へ移動させ、固定ギヤ３２が支持ラック１３から離脱して支持ラック１３をアンロックし、移動ブロック３０が圧しブロック２７を押して前方へ移動させ、これにより推し板２２が後方へ移動し、引っ掛かりブロック２１を推し動かして圧しチャンバ１５の中に完全に位置させ、且つ引っ掛かりブロック２１と引っ掛かり溝２０とが引っ掛かるように連結され、この時、引っ掛かりブロック２１の前端が依然として推し板２２と磁力により接続され、手首を右方から左方へ連通チャンバ４９に通した後に水袋１４に置き、水袋１４を下方へ押し、手首の快適な高さを調節し、固定ロッド５２によりスライダ５１を連動させて同期昇降させ、調節し終わった後、回しロッド３６を放し、装置が初期状態に戻り、引っ掛かりブロック２１が引っ掛かり溝２０から離脱し、その後、手首を水袋１４に置くと、圧しロッド１７が自分で下降でき、スライドロッド４０を推し動かして右方へ移動させ、これにより推し盤４３が右方へ移動し、ベルト４８により連結ブロック７０を上昇させ、これによりモータ軸７３がプーリ６８と連結され、モータ７２が作動し、これにより回転ロッド６５がギヤスリーブ６４を連動させて回転させ、これにより回転ブロック５７が回転し、これによりボール５８が手首をマッサージする。
【００１８】
本発明の有益効果は：本発明は構成が簡単で、操作が便利で、マウスを使用する時に手首の快適度により水袋の高さを調節し、マッサージ機能を有するスライダもそれとともに同期昇降し、装置の機動性が高く、使用範囲が広く、しかも異なる使用者により人間工学にもっと符合させ、手首を保護し、また手首をマッサージしてリラックスさせる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177621.tif 000003
【図２】
2020177621.tif 000004
【図３】
2020177621.tif 000005
【図４】
2020177621.tif 000006
【図５】
2020177621.tif 000007
【手続補正書】
【提出日】令和1年12月20日(2019.12.20)
【手続補正１】
【補正対象書類名】特許請求の範囲
【補正対象項目名】請求項４
【補正方法】変更
【補正の内容】
【請求項４】
前記回転装置は前後対称の空きチャンバを含み、前記回転軸の一端が前記空きチャンバの中に伸びており、且つ前記回転軸の一端にはベベルギヤが固定的に設置され、前記ベベルギヤの一端には連結ギヤが噛み合っており、前記空きチャンバの外側には回転チャンバが連通するように設置され、前記回転チャンバの中には回転ロッドにより前記連結ギヤと噛み合っているギヤスリーブが回転できるように設置され、前記回転チャンバの下側の間には空き溝が連通するように設置され、前記回転ロッドの下端が前記空き溝の中に伸びており、且つ両側の前記回転ロッドの間はタイミングベルトにより動力が伝達できるように連結され、前記空き溝の中には前記モータ軸とスプラインにより連結されているプーリが回転できるように設置され、前記プーリが前記タイミングベルトと動力が伝達できるように連結され、前記プーリが回転して前記回転ブロックを回転させ、ボールにより手首をマッサージすることを特徴とする請求項２に記載の手首を保護するマウスパッド。